(57)【要約】【課題】  情報端末から画像形成装置に印刷する印刷システムにおいて、機能設定情報の表示方法や階層構造が異なるそれぞれのメーカの複合機の実装機能を判断するのが困難である。【解決手段】  ユーザの使用履歴を記憶した情報端末と実装機能を記憶する画像形成装置で、ユーザの使用履歴と画像形成装置の実装機能情報を比較して、使用可能な実装機能を判別する。ユーザが使用した機能が履歴として画面表示し、その履歴に従って画面を更新する。【選択図】  図３
2013130990.tif 000002
【特許請求の範囲】
【請求項１】
実装機能を記憶する実装機能記憶手段（１９０）を持つ画像形成装置（１００）と、
ユーザの使用履歴を記憶する使用履歴記憶手段（２７０）を持つ情報端末（２００）と、
それらの情報を送受信する通信手段（１６０、２６０）と、
を有し、
情報端末（２００）から画像形成装置（１００）へ送信要求があった際（Ｓ４０２、Ｓ６０２）、画像形成装置（１００）の実装機能を情報端末（２００）へ送信し（Ｓ４０３、Ｓ６０３）、情報端末（２００）に記憶されているユーザ使用履歴と画像形成装置（１００）の実装機能とを比較し、その結果を表示し（Ｓ４０５）、情報端末（２００）から設定情報および印刷データを送信して（Ｓ６０５）、印刷を実行する（Ｓ６０６）
ことを特徴とする印刷システム。
【請求項２】
前記情報端末（２００）に記憶されるユーザ使用履歴と画像形成装置（１００）の実装機能との比較は、ユーザが使用した機能が記憶されている場合に（Ｓ５０１）、ユーザが使用した機能が画像形成装置（１００）に実装されているかを判別する（Ｓ５０２）
ことを特徴とする請求項１に記載の印刷システム。
【請求項３】
前記情報端末（２００）に記憶されるユーザ使用履歴と画像形成装置（１００）の実装機能との比較結果の情報端末（２００）への表示は、ユーザが使用した機能が画像形成装置（１００）に実装されている場合には色付け表示し（Ｓ５０３）、実装されていない場合にはグレーアウト表示もしくは非表示（Ｓ５０５）とすることを特徴とする請求項１に記載の印刷システム。
【発明の詳細な説明】
【技術分野】
【０００１】
本発明は、複合機やプリンタ等の画像形成装置と、タブレットＰＣやスマートフォン等の情報端末で構成される印刷システムに関する。
【背景技術】
【０００２】
近年、タブレットＰＣやスマートフォン等のモバイル端末の普及に伴い、外出先のコンビニエンスストア等での紙出力、いわゆるモバイルプリントの需要がある。
【０００３】
ただし、各コンビニエンスストアに設置されている複合機は店ごとにメーカが異なり、実装されている機能も複合機ごとに異なる。
【０００４】
したがって、複数のメーカの複合機に出力するには、モバイル端末に複数のメーカの複合機に対する出力用プログラム（以下プリンタドライバとする）を実装しておく必要があるため、ユーザにとって煩雑である。
【０００５】
これに対し、携帯電話を印刷装置にローカル接続して携帯電話で印刷装置の設定を行い、携帯電話から電話回線を使ってＰＣにデータ転送要求を出し、ＰＣでラスタライズを行って印刷する技術が開示されている（例えば特許文献１）。
【０００６】
また、メーカの異なる複合機に対応するために、ＢＭＬｉｎｋＳという共通プリンタドライバ技術が開示されている。
【先行技術文献】
【特許文献】
【０００７】
【特許文献１】特開２００２−２９７３４５号公報
【発明の概要】
【発明が解決しようとする課題】
【０００８】
しかしながら、特許文献１に記載の印刷システムでは、印刷するために必ずＰＣが必要となる。
【０００９】
また、ＢＭＬｉｎｋＳの共通プリンタドライバでは、共通機能のみが実装されている。
【００１０】
このため、ユーザが使用したい機能（例えばパンチ穴消しと拡大を同時に処理）が別のメーカの複合機に実装されているかを確認するには、ユーザがその都度設定画面から所望の機能を指定する必要がある。
【００１１】
したがって、機能設定情報の表示方法や階層構造が異なるそれぞれのメーカの複合機の実装機能を判断するのが困難という課題があった。
【課題を解決するための手段】
【００１２】
本発明は上記課題を鑑みなされたものであり、本発明の印刷システムは、
実装機能を記憶する実装機能記憶手段（１９０）を持つ画像形成装置（１００）と、
ユーザの使用履歴を記憶する使用履歴記憶手段（２７０）を持つ情報端末（２００）と、
それらの情報を送受信する通信手段（１６０、２６０）と、
を有し、
情報端末（２００）から画像形成装置（１００）へ送信要求があった際（Ｓ４０２、Ｓ６０２）、画像形成装置（１００）の実装機能を情報端末（２００）へ送信し（Ｓ４０３、Ｓ６０３）、情報端末（２００）に記憶されているユーザ使用履歴と画像形成装置（１００）の実装機能とを比較し、その結果を表示し（Ｓ４０５）、情報端末（２００）から設定情報および印刷データを送信して（Ｓ６０５）、印刷を実行する（Ｓ６０６）
ことを特徴とする。
【発明の効果】
【００１３】
本発明によれば、機能設定情報の表示方法や階層構造が異なるそれぞれのメーカの複合機の実装機能を自動で判断することが可能である。
【００１４】
本発明によれば、ユーザが使用した機能が履歴として更新されるため、画像形成装置が異なる場合でも、設定画面から所望の機能を指定することが不要となる。
【図面の簡単な説明】
【００１５】
【図１】本発明の第一の実施例における印刷システムの構成を示す図である。
【図２】複合機100とモバイル端末200のハードウェア構成を示すブロック図である。
【図３】本発明の第一の実施例における印刷システムの全体動作を示す図である。
【図４】本発明の第一の実施例を示すモバイル機器のフローチャートである。
【図５】モバイル機器の機能画面の更新を示すフローチャートである。
【図６】本発明の第一の実施例を示す複合機のフローチャートである。
【図７】モバイル機器の機能画面の更新を示す図である。
【発明を実施するための形態】
【００１６】
以下、本発明を実施するための最良の形態について図面を用いて説明する。
【００１７】
＜第一の実施例＞
図１は、本発明の第一の実施例における印刷システムの構成を示す図である。
【００１８】
図において、100は、複合機である。200は、モバイル端末である。300は、通信回線（インターネット）である。
【００１９】
図２は、図１における複合機100とモバイル端末200のハードウェア構成を示すブロック図である。
【００２０】
図２（ａ）は、複合機100のハードウェア構成を示すブロック図である。
【００２１】
図において、110は、複合機100各部の制御を行うＣＰＵである。120は、複合機100の制御プログラムが格納されるＲＯＭである。130は、複合機100の制御プログラムの実行領域や画像処理用のワークデータ用領域、および出力データ格納用領域であるＲＡＭである。140は、印刷データの画像処理を施す画像処理部である。150は、パネル等のユーザインターフェース（以下ＵＩ）である。160は、通信回線（インターネット）との通信を行うネットワークＩ／Ｆである。170は、紙原稿を読み取るスキャナ部である。180は、印刷を行うプリント部である。
【００２２】
図２（ｂ）は、モバイル端末200のハードウェア構成を示すブロック図である。
【００２３】
図において、210は、モバイル端末200各部の制御を行うＣＰＵである。220は、モバイル端末200の制御プログラムが格納されるＲＯＭである。230は、モバイル端末200の制御プログラムの実行領域や画像処理用のワークデータ用領域、および表示データ格納用領域であるＲＡＭである。240は、表示データの画像処理を施す画像処理部である。250は、パネル等のユーザインターフェース（以下ＵＩ）である。260は、通信回線（インターネット）との通信を行うネットワークＩ／Ｆである。270は、ユーザの機能の使用履歴を格納する使用履歴格納部である。
【００２４】
＜＜全体動作＞＞
次に、図３を用いて、印刷システムの全体動作を説明する。
【００２５】
図３は、印刷時の複合機100およびモバイル端末200の動作を示す図である。
【００２６】
複合機100およびモバイル端末200の動作手順は、それぞれが備えるＲＯＭ120およびＲＯＭ220に格納もしくはＲＡＭ130およびＲＡＭ230に展開された制御プログラムに沿って、それぞれが備えるＣＰＵ110およびＣＰＵ210が実行する。
【００２７】
また、通信は、図２（ａ）で示した複合機100のネットワークＩ／Ｆ160と図２（ｂ）で示したモバイル機器200のネットワークＩ／Ｆ260によって、図１で示した通信回線（インターネット）300を介して行われる。
【００２８】
以下、時間の経過にしたがって、印刷システム全体動作の流れを説明する。
【００２９】
モバイル端末200は、複合機100に対して、通信経路の確立を要求する。
【００３０】
複合機100は、モバイル機器200に対して、通信経路を確立する。
【００３１】
通信経路が確立されると、モバイル機器200は、複合機100に対して、実装機能情報の送信を要求する。
【００３２】
複合機100は、モバイル機器200に実装機能情報を送信する。
【００３３】
モバイル機器200は、複合機100の実装機能情報データを受信する。
【００３４】
データ受信が正常終了すると、モバイル機器200は、その旨を複合機100に通知する。
【００３５】
モバイル機器200は、自身の使用履歴記憶部270に記憶してあるユーザが使用した機能の履歴と、複合機100から受信した実装機能情報データとを比較して、ユーザが使用した機能を複合機100が備えているかどうかを表示する。
【００３６】
ユーザがモバイル機器200の表示に従って複合機100で使用可能な機能を選択し、モバイル機器200は、設定情報および印刷データを複合機100へ送信する。
【００３７】
複合機100は、送信された設定情報にしたがって印刷データを印刷する。
【００３８】
＜＜モバイル機器動作＞＞
次に、図４と図５および図７（ａ）を用いて、モバイル機器200の動作を詳細に説明する。
【００３９】
図４は、本発明の第一の実施例を示すモバイル機器200のフローチャートである。
【００４０】
図４のフローチャートで示す動作手順は、ＲＯＭ220に格納もしくはＲＡＭ230に展開された制御プログラムに沿って、ＣＰＵ210が実行する。
【００４１】
モバイル機器200は、複合機100へ通信経路の確立を要求し、複合機100との通信経路を確立する（Ｓ４０１）。
【００４２】
次に、モバイル機器200は、確立した通信経路を介して、複合機100へ実装機能情報の送信を要求する（Ｓ４０２）。
【００４３】
モバイル機器200は、確立した通信経路を介して、複合機100からの実装機能情報を受信する（Ｓ４０３）。
【００４４】
複合機100からのデータ受信が正常に終了した場合（Ｓ４０４）、モバイル機機器200は、自身の使用履歴記憶部270に記憶してあるユーザが使用した機能の履歴と比較して、ユーザの使用履歴で構成される機能画面（ＵＩ）を更新する（Ｓ４０５）。
【００４５】
また、複合機からのデータ受信が正常に終了しない場合（Ｓ４０４）、確立した通信経路を介して、再度複合機100へ実装機能情報の送信を要求する（Ｓ４０２）。
【００４６】
ここで、モバイル機器200のユーザ使用履歴で構成される機能画面（ＵＩ）の更新について、図５および図７を用いて詳細に説明する。
【００４７】
図５は、モバイル機器200のユーザ使用履歴で構成される機能画面（ＵＩ）の更新を示すフローチャートである。
【００４８】
図５のフローチャートで示す動作手順は、図４と同様に、モバイル機器200のＲＯＭ220に格納もしくはＲＡＭ230に展開された制御プログラムに沿って、ＣＰＵ210が実行する。
【００４９】
モバイル機器200は、自身の使用履歴記憶部270に、ユーザが使用した機能が履歴として記憶されているかを判別する（Ｓ５０１）。
【００５０】
使用履歴がある場合、モバイル機器200は、複合機100から送信された実装機能情報の中に、その機能が実装されているかを判別する（Ｓ５０２）。
【００５１】
複合機100にユーザ使用履歴の機能が実装されている場合、モバイル機器200は、ＵＩ部250に、使用履歴機能として色付け表示する（Ｓ５０３）。
【００５２】
複合機100にユーザ使用履歴の機能が実装されていない場合、モバイル機器200は、ＵＩ部250に使用履歴機能をグレーアウト表示するか、表示しない（Ｓ５０５）。
【００５３】
次に、モバイル機器200は、使用履歴機能をすべて比較したかを判別する（Ｓ５０４）。
【００５４】
比較すべき使用履歴機能がまだある場合、次の比較を行う（Ｓ５０２）。
【００５５】
また、使用履歴がない場合（Ｓ５０１）、モバイル機器200は、ＵＩ部250に使用履歴機能をグレーアウト表示するか、表示しない（Ｓ５０５）。
【００５６】
図７は、モバイル機器200のユーザ使用履歴で構成される機能画面（ＵＩ）の更新を示す図である。
【００５７】
図７（ａ）は、モバイル機器200のユーザ使用履歴で構成される機能画面（ＵＩ）の更新を示す図である。
【００５８】
図７（ａ）は、通常の設定画面に使用履歴画面を挿入する場合の画面を示す図である。
【００５９】
使用履歴機能が実装している場合は、画面右に色付け表示される。
【００６０】
使用履歴機能が実装していない場合は、画面右にグレーアウト表示される。または、非表示でもよい。
【００６１】
図７（ｂ）は、使用履歴画面のみを表示する場合の画面を示す図である。
【００６２】
使用履歴機能が実装している場合は、その機能が色付け表示される。
【００６３】
使用履歴機能が実装していない場合は、その機能がグレーアウト表示される。または、非表示でもよい。
【００６４】
＜＜複合機動作＞＞
次に、図６を用いて、複合機100の動作を詳細に説明する。
【００６５】
図６は、本発明の第一の実施例を示す複合機100のフローチャートである。
【００６６】
図６のフローチャートで示す動作手順は、ＲＯＭ120に格納もしくはＲＡＭ130に展開された制御プログラムに沿って、ＣＰＵ110が実行する。
【００６７】
複合機100は、モバイル機器200からの確立要求を受信して、通信経路を確立する（Ｓ６０１）。
【００６８】
次に、複合機100は、確立した通信経路を介して、モバイル機器200から実装機能情報の送信要求を受信する（Ｓ６０２）。
【００６９】
複合機100は、確立した通信経路を介して、モバイル機器200へ実装機能記憶部190に記憶された実装機能情報を送信する（Ｓ６０３）。
【００７０】
モバイル機器200へデータ送信が正常に終了した場合（Ｓ６０４）、複合機100は、モバイル機器200からの印刷設定情報および印刷データを受信する（Ｓ６０５）。
【００７１】
複合機100は、受信した印刷設定情報にしたがって印刷データを印刷する（Ｓ６０６）。
【００７２】
モバイル機器200へデータ送信が正常に終了しない場合（Ｓ６０４）、確立した通信経路を介して、再度モバイル機器200からの実装機能情報の送信要求を受信する（Ｓ６０２）。
【００７３】
本実施例は、複合機100とモバイル端末200が通信回線（インターネット）300を介して通信を行うが、必ずしも通信回線（インターネット）300を介する必要はない。
【００７４】
複合機100とモバイル端末200が、無線通信などの手段によって直接通信を行う形態も考えられることは言うまでもない。
【符号の説明】
【００７５】
100  画像形成装置
200  モバイル端末
300  通信回線（インターネット）
110, 210  ＣＰＵ
120, 220  ＲＯＭ
130, 230  ＲＡＭ
140, 240  画像処理部
150, 250  ＵＩ部
160, 260  ネットワークＩ／Ｆ
170  スキャナ部
180  プリント部
190  実装機能記憶部
270  使用履歴記憶部
【図１】
2013130990.tif 000003
【図２】
2013130990.tif 000004
【図３】
2013130990.tif 000005
【図４】
2013130990.tif 000006
【図５】
2013130990.tif 000007
【図６】
2013130990.tif 000008
【図７】
2013130990.tif 000009